(57)【要約】【課題】  スピーカーの回転を防ぐと同時に磁束を遮蔽することで、部品点数を削減し、コストダウン及び装置の小型化を行なう。【解決手段】  発音源としてのスピーカーを備えた画像形成装置において、前記スピーカーを保持するスピーカー保持部材を具備すると共に、前記スピーカー保持部材には、回転止め手段と、磁束を遮蔽する手段とを設けたことを特徴とする画像形成装置。【選択図】  図１
2008005130.tif 000002
【特許請求の範囲】
【請求項１】
発音源としてのスピーカーを備えた画像形成装置において、
前記スピーカーを保持するスピーカー保持部材を具備すると共に、
前記スピーカー保持部材には、回転止め手段と、磁束を遮蔽する手段とを設けたことを特徴とする画像形成装置。
【請求項２】
前記回転止め手段が爪形状であって、前記爪形状はスピーカーの回転動作時、スピーカーフレーム開口部の端面に当接して回転を止める構成であることを特徴とする請求項１に記載の画像形成装置。
【請求項３】
前記回転止め手段は、少なくとも２つ以上の爪から成り、スピーカーフレーム開口部をまたいで挟み込む形状であることを特徴とする請求項１又は請求項２記載の画像形成装置。
【請求項４】
前記磁束を遮蔽する手段は、スピーカーとの距離が一定の空間を確保できるように覆う形状であることを特徴とする請求項１記載の画像形成装置。
【請求項５】
前記磁束を遮蔽する手段は、幅方向の端部に曲げを有することを特徴とする請求項１又は請求項４記載の画像形成装置。
【請求項６】
画像読取装置が付加ユニットとして画像形成装置本体に装着された複合形画像形成装置において、
発音源としてのスピーカー、及び前記スピーカーを保持するスピーカー保持部材を具備すると共に、
前記スピーカー保持部材には、回転止め手段と、磁束を遮蔽する手段とを設けたことを特徴とする複合形画像形成装置。
【請求項７】
前記スピーカー、及び前記スピーカーを保持するスピーカー保持部材を画像形成装置本体に具備したことを特徴とする請求項６に記載の複合形画像形成装置。
【請求項８】
前記磁束を遮蔽する手段の、幅がスピーカーのマグネットよりも大きいことを特徴とする請求項１〜請求項５のいずれかに記載の画像形成装置。
【請求項９】
前記磁束を遮蔽する手段の、幅がスピーカーのマグネットよりも大きいことを特徴とする請求項６又は請求項７に記載の複合形画像形成装置。
【発明の詳細な説明】
【技術分野】
【０００１】
本発明は、シート等の記録媒体上に画像を形成する機能を備えた、例えば、複写機、プリンタ、あるいは、ファクシミリ装置などの画像形成装置に関するものである。
【背景技術】
【０００２】
近年、画像形成装置に付加価値を付け、より使いやすく多機能にする傾向がある。例えば、画像形成装置に接続された外部ホスト装置が、プリント開始を音声により報知するものがある。この場合、外部ホスト装置ではなく、画像形成装置から報知音が発せられる構成も考え得る。そのためには、画像形成装置に発音源であるスピーカーを設ける必要がある。このように、発音源であるスピーカーが画像形成装置に配置される機会は、今後増加すると考えられる。
【０００３】
図１０、図１１を用いて、スピーカーの取り付け構成、及び磁性体を画像形成装置に取り付けた場合の従来例について説明する。
【０００４】
まず、報知音などを発するスピーカーを画像形成装置に取り付ける場合、図１０に示すように、スピーカーの音放出側を支持部材に当接し、弾発部によってその当接面に押し付け、スピーカーを支持部材に取り付けるものがある（例えば、特許文献１参照。）。
【０００５】
また、スピーカーやメインモータなどの磁性体を画像形成装置に取り付ける場合、図１１に示すように、防磁板を外装内面に取り付け、装置から洩れる磁束を減らしているものがある（例えば、特許文献２参照。）。
【特許文献１】スピーカーの固定構造  特許第３５２０５７９号
【特許文献２】画像形成装置の防磁板  特開平6-13778
【発明の開示】
【発明が解決しようとする課題】
【０００６】
スピーカーを画像形成装置に取り付ける場合、スピーカーが回転してしまうと、搬送中にコネクタが外れてしまったり、断線してしまうという不具合を生じる可能性がある。
【０００７】
また、磁性体であるスピーカーを画像形成装置の外装付近に取り付けると、装置外装から洩れる磁界が大きくなってしまうことが考えられる。
【０００８】
本発明は上記２つの課題を、同時に解決するためになされたもので、その目的とするところは、スピーカーを画像形成装置に取り付ける際、スピーカーを回転させることなく確実に止めると共に、装置外装から測定できる磁界を小さくすることのできる、技術を提供することにある。
【課題を解決するための手段】
【０００９】
上記目的を達成するため、請求項１記載の発明は、発音源としてのスピーカーを備えた画像形成装置において、前記スピーカーを保持するスピーカー保持部材を具備すると共に、前記スピーカー保持部材には、回転止め手段と、磁束を遮蔽する手段とを設けたことを特徴とする。
【００１０】
請求項２記載の発明は、請求項１記載の発明において、前記回転止め手段が爪形状であって、前記爪形状はスピーカーの回転動作時、スピーカーフレーム開口部の端面に当接して回転を止める構成であることを特徴とする。
【００１１】
請求項３記載の発明は、請求項１又は請求項２記載の発明において、前記回転止め手段は、少なくとも２つ以上の爪から成り、スピーカーフレーム開口部をまたいで挟み込む形状であることを特徴とする。
【００１２】
請求項４記載の発明は、請求項１記載の発明において、前記磁束を遮蔽する手段は、スピーカーとの距離が一定の空間を確保できるように覆う形状であることを特徴とする。
【００１３】
請求項５記載の発明は、請求項１又は請求項４記載の発明において、前記磁束を遮蔽する手段は、幅方向の端部に曲げを有することを特徴とする。
【００１４】
請求項６記載の発明は、画像読取装置が付加ユニットとして画像形成装置本体に装着された複合形画像形成装置において、発音源としてのスピーカー、及び前記スピーカーを保持するスピーカー保持部材を具備すると共に、前記スピーカー保持部材には、回転止め手段と、磁束を遮蔽する手段とを設けたことを特徴とする。
【００１５】
請求項７記載の発明は、請求項６記載の発明において、前記スピーカー、及び前記スピーカーを保持するスピーカー保持部材を画像形成装置本体に具備したことを特徴とする。
【００１６】
請求項８記載の発明は、請求項１〜請求項７記載の発明において、前記磁束を遮蔽する手段の幅がスピーカーのマグネットよりも大きいことを特徴とする。
【発明の効果】
【００１７】
以上説明したように、本発明によれば、スピーカーの回転止めと、磁束の遮蔽効果を同時に得ることができるため、部品点数を削減することが可能となり、その結果、コストが安価で小型化された装置を提供することができる。
【発明を実施するための最良の形態】
【００１８】
次に、本発明の詳細を実施例の記述に従って説明する。
【００１９】
以下に図面を参照して、この発明の好適な実施の形態を、実施例に基づいて例示的に詳しく説明する。ただし、この実施の形態に記載されている構成部品の寸法、材質、形状それらの相対配置などは、発明が適用される装置の構成や各種条件により適宜変更されるべきものであり、この発明の範囲を以下の実施の形態に限定する趣旨のものではない。
【実施例１】
【００２０】
図１〜図３を用いて、本発明の実施例１について説明する。
【００２１】
図１はスピーカーの取り付け構成を示す概略斜視図、図２（ａ）はスピーカー取り付け部の斜視図、図２（ｂ）はスピーカー取り付け部の正面図、図２（ｃ）は図２（ｂ）のＸ−Ｘ断面図、図２（ｄ）は爪によるスピーカー回転防止部の部分断面図、図３は本発明に係わる複合機の、プリンタ内部構造を示す概略断面図である。
【００２２】
まず、本実施例の画像形成装置１の概略構成について、図３を用いて説明する。
【００２３】
画像形成装置１は大きく分けてプリンタ２と読み取りスキャナ３とからなり、読み取りスキャナ３はプリンタ２の上方に、排紙積載部を挟む形で配置されている。
【００２４】
次に、プリンタ２の内部構造について説明する。
【００２５】
図３に示されるプリンタはプロセスカートリッジ４を装着して電子写真方式により画像を形成し、その画像をシートに記録するレーザープリンタである。プロセスカートリッジ４は、筐体内に像担持体としての感光ドラム５を回転可能に設けており、帯電した感光ドラム５に画像情報に応じた光像を照射して、形成した潜像をトナーによってシートに現像する。装置本体の前部には、感光ドラム５に対して光像を照射するためのレーザスキャナユニット６が設けられている。
【００２６】
給紙カセット８内に収納されたシートは、図示されていないホストコンピュータからのプリント信号により、給紙ローラ９とシート分離手段１０によって一枚ずつに分離されて給送される。分離されたシートは搬送ローラ対１１により、感光ドラム５とそれに圧接された転写ローラ１２で構成される転写部に搬送される。
【００２７】
一方、ホストコンピュータからの画像情報は光像としてポリゴンミラー７から感光ドラム５へ照射されて画像情報に応じた潜像が形成され、その潜像はトナーによって現像される事により可視化され、感光ドラム５と転写ローラ１２との圧接部においてトナー像がシートに転写される。トナー像が転写されたシートは定着フィルム１３とそれに圧接された加圧ローラ１４とで構成される定着部に搬送され、トナー像の定着を受ける。トナー像が定着してシートは排紙ローラ対１５により搬送され、プリンタ２の上方部の排紙積載部１６へ排出される。
【００２８】
読み取りスキャナ３は、周知であるフラットベット型の読み取りスキャナである。
【００２９】
次に、図１、図２（ａ）〜図２（ｄ）を用いて、本実施例の特徴的な構成であるスピーカー取り付け構成について詳しく説明する。
【００３０】
２０はスピーカー、２０ａはスピーカーのマグネット、２０ｂはスピーカーフレーム開口部、２１はスピーカー受台、２１ａはスピーカー受台の引っ掛け穴、２１ｂはスピーカー受台の１段高い面、２１ｃはスピーカー受台のスピーカーを保持する切起し形状、２２はスピーカー保持部材、２２ａはスピーカーの回転を防止する爪形状部、２２ｂは防磁機能を果たす防磁形状部、２２ｃはスピーカー保持部材の幅方向曲げ部を夫々示す。
【００３１】
ここで、スピーカー２０の取り付け構成について詳しく述べる。スピーカー２０は、本体の左側板の後方下部に取り付けられたスピーカー受台２１に保持される。このスピーカー受台２１は、１段高い面２１ｂを持ち、そこから切起された取り付け台に図示しない電気基板を取り付けることが可能な形状となっている。スピーカー２０は、まず、スピーカー受台２１の３つの切起し形状２１ｃに嵌め込まれる。次に、スピーカー２０の回転方向の姿勢を決めた後で、スピーカー保持部材２２を、スピーカー受台２１の１段高い面２１ｂにある引っ掛け穴２１ａを使用してスピーカーを覆うような姿勢に組む。そして、スピーカー保持部材２２とスピーカー受台２１を、図示しないビスで左側板に共締めして固定する。
【００３２】
回転止め爪形状部２２ａは、バネ性を持った形状となっており、付勢力によってスピーカー２０を当接面に押し付けている。また、爪形状２２ａは、図２（ｃ）と図２（ｄ）に示されるように、スピーカーフレーム開口部２０ｂへ差し込まれ、さらに、爪先端がスピーカー内部へ入り込むように曲げられているため、スピーカー２０が回転しようとする時に当接し、確実に回転を止める構成となっている。そのため、スピーカー２０が回転することによる、搬送中のコネクタ外れや、断線などの不具合が生じる危険を、回避することが可能となる。なお、本実施例では、１つの爪形状で回転を防止しているが、当然、２つ以上の複数の爪形状を当接するように配置すれば、本実施例と同じ効果を得ることができる。
【００３３】
外装から洩れる磁束を減らすための、防磁形状部２２ｂは、図２（ｃ）に示すように、スピーカー２０との距離が一定の空間を確保できるように覆っており、スピーカー２０から誘起される磁束を導くように形成されている。また、防磁形状部２２ｂの幅方向端部に曲げ２２ｃを形成しているため、装置外装から測定できる磁界を小さくすることが可能となる。
【００３４】
本実施の形態では、スピーカーの回転止め、及び磁束の遮蔽を１つの部品で同時に行なえるため、部品点数を削減することが可能となり、その結果、コストを安価にし、装置を小型化することができる。
【実施例２】
【００３５】
図３、図５（ａ）〜図５（ｄ）を用いて、本発明の実施例２について説明する。
【００３６】
図４はスピーカーの取り付け構成を示す概略斜視図、図５（ａ）はスピーカー取り付け部の斜視図、図５（ｂ）はスピーカー取り付け部の正面図、図５（ｃ）は図５（ｂ）のＸ−Ｘ断面図、図５（ｄ）は爪によるスピーカーフレーム挟み込み部の部分断面図、図３は本発明に係わる複合機の、プリンタ内部構造を示す概略断面図である。
【００３７】
まず、本実施例の画像形成装置１の概略構成について、図３を用いて説明する。
【００３８】
画像形成装置１は大きく分けてプリンタ２と読み取りスキャナ３とからなり、読み取りスキャナ３はプリンタ２の上方に、排紙積載部を挟む形で配置されている。
【００３９】
次に、プリンタ２の内部構造について説明する。
【００４０】
図３に示されるプリンタはプロセスカートリッジ４を装着して電子写真方式により画像を形成し、その画像をシートに記録するレーザープリンタである。プロセスカートリッジ４は、筐体内に像担持体としての感光ドラム５を回転可能に設けており、帯電した感光ドラム５に画像情報に応じた光像を照射して、形成した潜像をトナーによってシートに現像する。装置本体の前部には、感光ドラム５に対して光像を照射するためのレーザスキャナユニット６が設けられている。
【００４１】
給紙カセット８内に収納されたシートは、図示されていないホストコンピュータからのプリント信号により、給紙ローラ９とシート分離手段１０によって一枚ずつに分離されて給送される。分離されたシートは搬送ローラ対１１により、感光ドラム５とそれに圧接された転写ローラ１２で構成される転写部に搬送される。
【００４２】
一方、ホストコンピュータからの画像情報は光像としてポリゴンミラー７から感光ドラム５へ照射されて画像情報に応じた潜像が形成され、その潜像はトナーによって現像される事により可視化され、感光ドラム５と転写ローラ１２との圧接部においてトナー像がシートに転写される。トナー像が転写されたシートは定着フィルム１３とそれに圧接された加圧ローラ１４とで構成される定着部に搬送され、トナー像の定着を受ける。トナー像が定着してシートは排紙ローラ対１５により搬送され、プリンタ２の上方部の排紙積載部１６へ排出される。
【００４３】
読み取りスキャナ３は、周知であるフラットベット型の読み取りスキャナである。
【００４４】
次に、図４〜図５（ｄ）を用いて、本実施例の特徴的な構成であるスピーカー取り付け構成について詳しく説明する。
【００４５】
２０はスピーカー、２０ａはスピーカーのマグネット、２０ｂはスピーカーフレーム開口部、２１はスピーカー受台、２１ａはスピーカー受台の引っ掛け穴、２１ｂはスピーカー受台の１段高い面、２１ｃはスピーカー受台のスピーカーを保持する切起し形状、２２はスピーカー保持部材、２２ａはスピーカーの回転を防止する爪形状部、２２ｂは防磁機能を果たす防磁形状部、２２ｃはスピーカー保持部材の幅方向曲げ部を夫々示す。
【００４６】
ここで、スピーカー２０の取り付け構成について詳しく述べる。スピーカー２０は、本体の左側板の後方下部に取り付けられたスピーカー受台２１に保持される。このスピーカー受台２１は、１段高い面２１ｂを持ち、そこから切起された取り付け台に図示しない電気基板を取り付けることが可能な形状となっている。スピーカー２０は、まず、スピーカー受台２１の３つの切起し形状２１ｃに嵌め込まれる。次に、スピーカー２０の回転方向の姿勢を決めた後で、スピーカー保持部材２２を、スピーカー受台２１の１段高い面２１ｂにある引っ掛け穴２１ａを使用してスピーカーを覆うような姿勢に組む。そして、スピーカー保持部材２２とスピーカー受台２１を、図示しないビスで左側板に共締めして固定する。
【００４７】
回転止め爪形状部２２ａは、バネ性を持った形状となっており、付勢力によってスピーカー２０を当接面に押し付けている。また、爪形状２２ａは、図５（ｃ）と図５（ｄ）に示されるように、スピーカーフレーム開口部２０ｂをまたいで挟み込み、さらに、爪先端がスピーカー内部へ入り込むように曲げられているため、スピーカー２０が回転しようとする時に確実に回転を止める構成となっている。そのため、スピーカー２０が回転することによる、搬送中のコネクタ外れや、断線などの不具合が生じる危険を、回避することが可能となる。なお、本実施例では、２つの爪形状で回転を防止しているが、当然、２つ以上の複数の爪形状でも本実施例と同じ効果を得ることができる。
【００４８】
外装から洩れる磁束を減らすための、防磁形状部２２ｂは、図５（ｃ）に示すように、スピーカー２０との距離が一定の空間を確保できるように覆っており、スピーカー２０から誘起される磁束を導くように形成されている。また、防磁形状部２２ｂの幅方向端部に曲げ２２ｃを形成しているため、装置外装から測定できる磁界を小さくすることが可能となる。
【００４９】
本実施の形態では、スピーカーの回転止め、及び磁束の遮蔽を１つの部品で同時に行なえるため、部品点数を削減することが可能となり、その結果、コストを安価にし、装置を小型化することができる。
【実施例３】
【００５０】
図３、図６、図７（ａ）〜図７（ｄ）を用いて、本発明の実施例３について説明する。
【００５１】
図３は本発明に係わる複合機の、プリンタ内部構造を示す概略断面図、図６はスピーカーの取り付け構成を示す概略斜視図、図７（ａ）はスピーカー取り付け部の斜視図、図７（ｂ）はスピーカー取り付け部の正面図、図７（ｃ）は図７（ｂ）のＸ−Ｘ断面図、図７（ｄ）は爪によるスピーカーフレーム挟み込み部の部分断面図である。
【００５２】
まず、本実施例の画像形成装置１の概略構成について、図３を用いて説明する。
【００５３】
画像形成装置１は大きく分けてプリンタ２と読み取りスキャナ３とからなり、読み取りスキャナ３はプリンタ２の上方に、排紙積載部を挟む形で配置されている。
【００５４】
次に、プリンタ２の内部構造について説明する。
【００５５】
図３に示されるプリンタはプロセスカートリッジ４を装着して電子写真方式により画像を形成し、その画像をシートに記録するレーザープリンタである。プロセスカートリッジ４は、筐体内に像担持体としての感光ドラム５を回転可能に設けており、帯電した感光ドラム５に画像情報に応じた光像を照射して、形成した潜像をトナーによってシートに現像する。装置本体の前部には、感光ドラム５に対して光像を照射するためのレーザスキャナユニット６が設けられている。
【００５６】
給紙カセット８内に収納されたシートは、図示されていないホストコンピュータからのプリント信号により、給紙ローラ９とシート分離手段１０によって一枚ずつに分離されて給送される。分離されたシートは搬送ローラ対１１により、感光ドラム５とそれに圧接された転写ローラ１２で構成される転写部に搬送される。
【００５７】
一方、ホストコンピュータからの画像情報は光像としてポリゴンミラー７から感光ドラム５へ照射されて画像情報に応じた潜像が形成され、その潜像はトナーによって現像される事により可視化され、感光ドラム５と転写ローラ１２との圧接部においてトナー像がシートに転写される。トナー像が転写されたシートは定着フィルム１３とそれに圧接された加圧ローラ１４とで構成される定着部に搬送され、トナー像の定着を受ける。トナー像が定着してシートは排紙ローラ対１５により搬送され、プリンタ２の上方部の排紙積載部１６へ排出される。
【００５８】
読み取りスキャナ３は、周知であるフラットベット型の読み取りスキャナである。
【００５９】
次に、図６、図７（ａ）〜図７（ｄ）を用いて、本実施例の特徴的な構成である、スピーカー取り付け構成について詳しく説明する。
【００６０】
２０はスピーカー、２０ａはスピーカーのマグネット、２０ｂはスピーカーフレーム開口部、２１はスピーカー受台、２１ａはスピーカー受台の引っ掛け穴、２１ｂはスピーカー受台の１段高い面、２１ｃはスピーカー受台のスピーカーを保持する切起し形状、２２はスピーカー保持部材、２２ａはスピーカーの回転を防止する爪形状部、２２ｂは防磁機能を果たす防磁形状部、２２ｃはスピーカー保持部材の幅方向曲げ部を夫々示す。
【００６１】
ここで、スピーカー２０の取り付け構成について詳しく述べる。スピーカー２０は、本体の左側板の後方下部に取り付けられたスピーカー受台２１に保持される。このスピーカー受台２１は、１段高い面２１ｂを持ち、そこから切起された取り付け台に図示しない電気基板を取り付けることが可能な形状となっている。スピーカー２０は、まず、スピーカー受台２１の３つの切起し形状２１ｃに嵌め込まれる。次に、スピーカー２０の回転方向の姿勢を決めた後で、スピーカー保持部材２２を、スピーカー受台２１の１段高い面２１ｂにある引っ掛け穴２１ａを使用してスピーカーを覆うような姿勢に組む。そして、スピーカー保持部材２２とスピーカー受台２１を、図示しないビスで左側板に共締めして固定する。
【００６２】
回転止め爪形状部２２ａは、バネ性を持った形状となっており、付勢力によってスピーカー２０を当接面に押し付けている。また、爪形状２２ａは、図７（ｃ）と図７（ｄ）に示されるように、スピーカーフレーム開口部２０ｂをまたいで挟み込み、さらに、爪先端がスピーカー内部へ入り込むように曲げられているため、スピーカー２０が回転しようとする時に確実に回転を止める構成となっている。そのため、スピーカー２０が回転することによる、搬送中のコネクタ外れや、断線などの不具合が生じる危険を、回避することが可能となる。なお、本実施例では、２つの爪形状で回転を防止しているが、当然、２つ以上の複数の爪形状でも本実施例と同じ効果を得ることができる。
【００６３】
外装から洩れる磁束を減らすための、防磁形状部２２ｂは、図７（ｃ）に示すように、スピーカー２０との距離が一定の空間を確保できるように覆っており、スピーカー２０から誘起される磁束を導くように形成されている。本実施例での防磁形状部２２ｂは、幅がスピーカーのマグネット２０ａよりも大きく、また、幅方向に形成した曲げ２２ｃも長くなっているため、磁束を遮蔽する面積が大きくなり、実施例１、実施例２より高い磁束の遮蔽効果が得られる。
【００６４】
本実施の形態では、スピーカーの回転止め、及び磁束の遮蔽を１つの部品で同時に行なえるため、部品点数を削減することが可能となり、その結果、コストを安価にし、装置を小型化することができる。また、スピーカーを覆う形状２２ｂの幅をスピーカーのマグネット２０ａよりも大きくすることと、スピーカー保持部材の幅方向の曲げ２２ｃを長くすることにより、磁束を遮蔽する面積が大きくなるため、より高い磁束の遮蔽効果を得ることができる。そのため、スピーカーを実施例１、２よりも外装と近い位置に配置することが可能となり、さらなる小型化が可能となる。
【実施例４】
【００６５】
図３、図８、図９（ａ）〜図９（ｄ）を用いて、本発明の実施例４について説明する。
【００６６】
図８はスピーカーの取り付け構成を示す概略斜視図、図９（ａ）はスピーカー取り付け部の斜視図、図９（ｂ）はスピーカー取り付け部の正面図、図９（ｃ）は図９（ｂ）のＸ−Ｘ断面図、図９（ｄ）は爪によるスピーカーフレーム挟み込み部の部分断面図、図３は本発明に係わる複合機の、プリンタ内部構造を示す概略断面図である。
【００６７】
まず、本実施例の画像形成装置１の概略構成について、図３を用いて説明する。
【００６８】
画像形成装置１は大きく分けてプリンタ２と読み取りスキャナ３とからなり、読み取りスキャナ３はプリンタ２の上方に、排紙積載部を挟む形で配置されている。
【００６９】
次に、プリンタ２の内部構造について説明する。
【００７０】
図３に示されるプリンタはプロセスカートリッジ４を装着して電子写真方式により画像を形成し、その画像をシートに記録するレーザープリンタである。プロセスカートリッジ４は、筐体内に像担持体としての感光ドラム５を回転可能に設けており、帯電した感光ドラム５に画像情報に応じた光像を照射して、形成した潜像をトナーによってシートに現像する。装置本体の前部には、感光ドラム５に対して光像を照射するためのレーザスキャナユニット６が設けられている。
【００７１】
給紙カセット８内に収納されたシートは、図示されていないホストコンピュータからのプリント信号により、給紙ローラ９とシート分離手段１０によって一枚ずつに分離されて給送される。分離されたシートは搬送ローラ対１１により、感光ドラム５とそれに圧接された転写ローラ１２で構成される転写部に搬送される。
【００７２】
一方、ホストコンピュータからの画像情報は光像としてポリゴンミラー７から感光ドラム５へ照射されて画像情報に応じた潜像が形成され、その潜像はトナーによって現像される事により可視化され、感光ドラム５と転写ローラ１２との圧接部においてトナー像がシートに転写される。トナー像が転写されたシートは定着フィルム１３とそれに圧接された加圧ローラ１４とで構成される定着部に搬送され、トナー像の定着を受ける。トナー像が定着してシートは排紙ローラ対１５により搬送され、プリンタ２の上方部の排紙積載部１６へ排出される。
【００７３】
読み取りスキャナ３は、周知であるフラットベット型の読み取りスキャナである。
【００７４】
次に、図８、図９（ａ）〜９（ｄ）を用いて、本実施例の特徴的な構成であるスピーカー取り付け構成について詳しく説明する。
【００７５】
２０はスピーカー、２０ａはスピーカーのマグネット、２０ｂはスピーカーフレーム開口部、２３は左側板、２３ａは左側板の引っ掛け穴、２３ｃは左側板のスピーカーを保持する切起し形状、２２はスピーカー保持部材、２２ａはスピーカーの回転を防止する爪形状部、２２ｂは防磁機能を果たす防磁形状部、２２ｃはスピーカー保持部材の幅方向曲げ部を夫々示す。
【００７６】
ここで、スピーカー２０の取り付け構成について詳しく述べる。スピーカー２０は、本体の左側板の後方下部に保持される。スピーカー２０は、まず、左側板２３の３つの切起し形状２３ｃに嵌め込まれる。次に、スピーカー２０の回転方向の姿勢を決めた後で、スピーカー保持部材２２を、左側板２３にある引っ掛け穴２３ａを使用してスピーカーを覆うような姿勢に組む。そして、スピーカー保持部材２２を、図示しないビスで左側板２３に固定する。
【００７７】
回転止め爪形状部２２ａは、バネ性を持った形状となっており、付勢力によってスピーカー２０を当接面に押し付けている。また、爪形状２２ａは、図９（ｃ）と図９（ｄ）に示されるように、スピーカーフレーム開口部２０ｂをまたいで挟み込み、さらに、爪先端がスピーカー内部へ入り込むように曲げられているため、スピーカー２０が回転しようとする時に確実に回転を止める構成となっている。そのため、スピーカー２０が回転することによる、搬送中のコネクタ外れや、断線などの不具合が生じる危険を、回避することが可能となる。なお、本実施例では、２つの爪形状で回転を防止しているが、当然、２つ以上の複数の爪形状でも本実施例と同じ効果を得ることができる。
【００７８】
スピーカー保持部材２２は、曲げ部２３ｃによって、スピーカー２０との距離が一定の空間を確保できるように、スピーカー２０を覆っている。そのため、外装から洩れる磁束を減らすための防磁形状部２２ｂは、スピーカー２０から誘起される磁束を導くように構成される。また、防磁形状部２２ｂは、幅方向端部に曲げ２２ｃを有しているため、装置外装から測定できる磁界を小さくすることが可能となる。
【００７９】
本実施の形態では、スピーカーの回転止め、及び磁束の遮蔽を１つの部品で同時に行なえ、且つ、実施例１、２、３で示したスピーカー受台が不要なため、部品点数をより削減することが可能となり、その結果、コストを安価にし、装置を小型化することができる。
【図面の簡単な説明】
【００８０】
【図１】本発明の第１の実施例に係わる、スピーカー取り付け構成を示す概略斜視図である。
【図２】（ａ）は本発明の第１の実施例に係わる、スピーカー取り付け部の斜視図である。（ｂ）は本発明の第１の実施例に係わる、スピーカー取り付け部の正面図である。（ｃ）は本発明の第１の実施例に係わる、図２（ｂ）のＸ−Ｘ断面図である。（ｄ）は本発明の第２の実施例に係わる、爪によるスピーカー回転防止部の部分断面図である。
【図３】本発明に係わる複合機の、プリンタの内部構造を示す概略断面図である。
【図４】本発明の第２の実施例に係わる、スピーカー取り付け構成を示す概略斜視図である。
【図５】（ａ）は本発明の第２の実施例に係わる、スピーカー取り付け部の斜視図である。（ｂ）は本発明の第２の実施例に係わる、スピーカー取り付け部の正面図である。（ｃ）は本発明の第２の実施例に係わる、図５（ｂ）のＸ−Ｘ断面図である。（ｄ）は本発明の第２の実施例に係わる、爪によるスピーカー回転防止部の部分断面図である。
【図６】本発明の第３の実施例に係わる、スピーカー取り付け構成を示す概略斜視図である。
【図７】（ａ）は本発明の第３の実施例に係わる、スピーカー取り付け部の斜視図である。（ｂ）は本発明の第３の実施例に係わる、スピーカー取り付け部の正面図である。（ｃ）は本発明の第３の実施例に係わる、図７（ｂ）のＸ−Ｘ断面図である。（ｄ）は本発明の第３の実施例に係わる、爪によるスピーカー回転防止部の部分断面図である。
【図８】本発明の第４の実施例に係わる、スピーカー取り付け構成を示す概略斜視図である。
【図９】（ａ）は本発明の第４の実施例に係わる、スピーカー取り付け部の斜視図である。（ｂ）は本発明の第４の実施例に係わる、スピーカー取り付け部の正面図である。（ｃ）は本発明の第４の実施例に係わる、図９（ｂ）のＸ−Ｘ断面図である。（ｄ）は本発明の第４の実施例に係わる、爪によるスピーカー回転防止部の部分断面図である。
【図１０】従来例を示す図である。
【図１１】従来例を示す図である。
【符号の説明】
【００８１】
１  複合機
２  プリンタ
３  読取スキャナ
４  プロセスカートリッジ
５  感光ドラム
６  レーザスキャナユニット
７  ポリゴンミラー
８  給紙カセット
９  給紙ローラ
１０  用紙分離手段
１１  搬送ローラ対
１２  転写ローラ
１３  定着フィルム
１４  加圧ローラ
１５  排紙ローラ対
１６  排紙積載部
２０  スピーカー
２０ａ  スピーカーのマグネット
２０ｂ  スピーカーフレーム開口部
２１  スピーカー受台
２１ａ  スピーカー受台の引っ掛け穴
２１ｂ  スピーカー受台の１段高い面
２１ｃ  スピーカー受台の切起し形状部
２２  スピーカー保持部材
２２ａ  スピーカー保持部材の爪形状
２２ｂ  スピーカー保持部材の防磁機能部
２２ｃ  スピーカー保持部材の幅方向曲げ部
２２ｄ  スピーカー保持部材の曲げ部
２３  左側板
２３ａ  左側板の引っ掛け穴
２３ｃ  左側板の切起し形状部
１００  スピーカーユニット
１０１  スピーカーホルダー
１０２  押え突起
１０３  防磁板
１０４  外装
１０５  メインモータ
【図１】
2008005130.tif 000003
【図２】
2008005130.tif 000004
【図３】
2008005130.tif 000005
【図４】
2008005130.tif 000006
【図５】
2008005130.tif 000007
【図６】
2008005130.tif 000008
【図７】
2008005130.tif 000009
【図８】
2008005130.tif 000010
【図９】
2008005130.tif 000011
【図１０】
2008005130.tif 000012
【図１１】
2008005130.tif 000013